(57)【要約】      （修正有）【課題】厚みの形成が容易な段ボール製封筒を提供する。【解決手段】一枚の段ボールシートから形成される段ボール製封筒であって、対向し合う方形状かつ略同形の表面パネル部１及び裏面パネル部２と、上記表面パネル部１の下縁と上記裏面パネル部２の下縁とを接続し、帯状で幅方向中央で折り返される底マチ部３と、上記表面パネル部１の両側縁から延設され、帯状で幅方向中央で折り返される一対の側マチ部４と、上記表面パネル部１の上縁から延設され、帯状で幅方向中央で折り返される上マチ部５と、上記一対の側マチ部４の先端縁から延設され、上記裏面パネル部２に貼着される一対の側貼着部６と、上記上マチ部５の先端縁から延設され、上記裏面パネル部２に貼着される上貼着部７と、上記底マチ部３の両側縁と上記一対の側マチ部４の下側の側縁とを接続する一対の底隅封止部８と、上記一対の側マチ部の上側の側縁と上記上マチ部の両側縁とを接続する一対の上隅封止部９とを備える。【選択図】図１
0003195833.tif 000002
【実用新案登録請求の範囲】
【請求項１】
一枚の段ボールシートから形成される段ボール製封筒であって、
対向し合う方形状かつ略同形の表面パネル部及び裏面パネル部と、
上記表面パネル部の下縁と上記裏面パネル部の下縁とを接続し、帯状で幅方向中央で折り返される底マチ部と、
上記表面パネル部の両側縁から延設され、帯状で幅方向中央で折り返される一対の側マチ部と、
上記表面パネル部の上縁から延設され、帯状で幅方向中央で折り返される上マチ部と、
上記一対の側マチ部の先端縁から延設され、上記裏面パネル部に貼着される一対の側貼着部と、
上記上マチ部の先端縁から延設され、上記裏面パネル部に貼着される上貼着部と、
上記底マチ部の両側縁と上記一対の側マチ部の下側の側縁とを接続する一対の底隅封止部と、
上記一対の側マチ部の上側の側縁と上記上マチ部の両側縁とを接続する一対の上隅封止部とを備えることを特徴とする段ボール製封筒。
【請求項２】
上記底隅封止部が、上記底マチ部の側縁及び上記側マチ部の下側の側縁を隣辺とする直角三角形状であり、上記底マチ部及び側マチ部と共に折り返されて両鋭角が直角に重ねられる底隅主封止部位と、上記底隅主封止部位の斜辺の底マチ部側部分から延設され、少なくとも上記底隅主封止部位の側マチ部側鋭角近傍部分に重なる底隅重畳部位とを有する請求項１に記載の段ボール製封筒。
【請求項３】
上記上隅封止部が、上記側マチ部の上側の側縁及び上記上マチ部の側縁を隣辺とする直角三角形状であり、上記側マチ部及び上マチ部と共に折り返されて両鋭角が直角に重ねられる上隅主封止部位と、上記上隅主封止部位の斜辺の側マチ部側部分から延設され、少なくとも上記上隅主封止部位の上マチ部側鋭角近傍部分に重なる上隅重畳部位とを有する請求項１又は請求項２に記載の段ボール製封筒。
【請求項４】
上記裏面パネル部が、上縁両端部に形成される切り欠きを有し、
上記側貼着部が、上記切り欠きに対応する範囲内で上記上貼着部に重なる貼着重畳部位を有し、
上記上隅封止部が、上記上隅重畳部位から上記貼着重畳部位に接続されるよう延設され、上記上マチ部に重なる上マチ重畳部位をさらに有する請求項３に記載の段ボール製封筒。
【請求項５】
上記表面パネル部及び裏面パネル部が、下縁の両側端近傍から上縁の中央近傍にかけて斜めに延在する一対の折り曲げ容易線をそれぞれ有する請求項１から請求項４のいずれか１項に記載の段ボール製封筒。
【考案の詳細な説明】
【技術分野】
【０００１】
本考案は、段ボール製封筒に関する。
【背景技術】
【０００２】
近年、ネットショッピングの普及により、宅配便を利用した商品配送が一般化している。しかしながら、核家族化及び共働き世帯の増加により、特に昼間の在宅率が低下しており、商品の配送効率低下が問題となっている。
【０００３】
このため、厚みが数ｃｍ以下の薄型の商品の場合には、受取人が不在の場合には荷物を郵便受けに投函することで配達を完了できるいわゆるメール便が商品配送に重宝されている。
【０００４】
通常、メール便で商品を発送するためには、封筒に商品を封入するが、商品を保護するためにエアクッション等を用いた緩衝材入り封筒を使用したり、商品を緩衝材でくるんでから封筒に封入しなければならない場合が多い。このような緩衝材入り封筒は比較的高価であり、緩衝材による梱包は人件費がかかるため、いずれも商品配送コストを押し上げている。
【０００５】
緩衝機能を有する封筒として、段ボール製封筒の利用が考えられる。通常の封筒をそのまま段ボールシートで形成すると、厚みのある品物を入れるのが困難となるおそれがある。そこで、封筒の周縁近傍に四辺に平行な折り曲げ容易線を形成することによって、周縁部分を折り曲げて厚みを形成するマチを設けることが提案されている（例えば実用新案登録第３０９４２３２号公報参照）。
【０００６】
段ボールシートは、厚みを有するため、シートの貼着部が重ならないようにすることが望ましく、中央に糊代が配置される中貼りは好ましくなく、横貼り又は上記公報に記載されるようなカマス貼りが採用される。しかしながら、上記公報に記載されるカマス貼りの段ボール製封筒では、厚みのある品物を入れるためにマチの部分を表裏のパネルに対して折り曲げる場合に、段ボールシートの糊代部分を折り曲げる必要がある。このため、上記公報に記載される段ボール製封筒は、マチの部分を折り曲げて封筒の厚みを形成する作業が簡単ではない。
【先行技術文献】
【特許文献】
【０００７】
【特許文献１】実用新案登録第３０９４２３２号公報
【考案の概要】
【考案が解決しようとする課題】
【０００８】
上記不都合に鑑みて、本考案は、厚みの形成が容易な段ボール製封筒を提供することを課題とする。
【課題を解決するための手段】
【０００９】
上記課題を解決するためになされた考案は、一枚の段ボールシートから形成される段ボール製封筒であって、対向し合う方形状かつ略同形の表面パネル部及び裏面パネル部と、上記表面パネル部の下縁と上記裏面パネル部の下縁とを接続し、帯状で幅方向中央で折り返される底マチ部と、上記表面パネル部の両側縁から延設され、帯状で幅方向中央で折り返される一対の側マチ部と、上記表面パネル部の上縁から延設され、帯状で幅方向中央で折り返される上マチ部と、上記一対の側マチ部の先端縁から延設され、上記裏面パネル部に貼着される一対の側貼着部と、上記上マチ部の先端縁から延設され、上記裏面パネル部に貼着される上貼着部と、上記底マチ部の両側縁と上記一対の側マチ部の下側の側縁とを接続する一対の底隅封止部と、上記一対の側マチ部の上側の側縁と上記上マチ部の両側縁とを接続する一対の上隅封止部とを備えることを特徴とする。
【００１０】
当該段ボール製封筒は、マチ部の内側の裏面パネル部の周縁において段ボールシートを貼り合わせるので、マチ部を折り曲げて内部空間に厚みを形成することが比較的容易である。このため、当該段ボール製封筒は、厚みのある品物であっても比較的容易に挿入することができる。また、当該段ボール製封筒は、底隅封止部及び上隅封止部を備えることによって、マチ部の内側の裏面パネル部において段ボールシートを貼り合わせることにより四隅に形成される隙間を封止することができる。さらに、当該段ボール製封筒は、段ボールシートを糊で貼っただけであり、その貼着も容易であるため、比較的安価に提供することができる。このため、メール便による品物の発送等のコストを削減できる。
【００１１】
当該段ボール製封筒において、上記底隅封止部が、上記底マチ部の側縁及び上記側マチ部の下側の側縁を隣辺とする直角三角形状であり、上記底マチ部及び側マチ部と共に折り返されて両鋭角が直角に重ねられる底隅主封止部位と、上記底隅主封止部位の斜辺の底マチ部側部分から延設され、少なくとも上記底隅主封止部位の側マチ部側鋭角近傍部分に重なる底隅重畳部位とを有するとよい。
【００１２】
このように、底隅封止部が上記底隅主封止部位とこの底隅主封止部位に重なる上記底隅重畳部位とを有することより、当該段ボール製封筒の底隅に隙間ができることを防止できる。また、この構成では、当該段ボール製封筒の底隅に糊を使用しないので、表面パネル部及び裏面パネル部に対する側マチ部及び上マチ部の折り曲げによる厚みの形成を阻害しない。
【００１３】
当該段ボール製封筒において、上記上隅封止部が、上記側マチ部の上側の側縁及び上記上マチ部の側縁を隣辺とする直角三角形状であり、上記側マチ部及び上マチ部と共に部分的に折り返されて両鋭角（内角が９０°よりも小さい２つの角）が直角（内角が９０°の角）に重ねられる上隅主封止部位と、上記上隅主封止部位の斜辺の側マチ部側部分から延設され、少なくとも上記上隅主封止部位の上マチ部側鋭角近傍部分に重なる上隅重畳部位とを有するとよい。
【００１４】
このように、上隅封止部が上記上隅主封止部位とこの上隅主封止部位に重なる上記上隅重畳部位とを有することより、上述の底隅封止部と同様に、表面パネル部及び裏面パネル部に対する底マチ部及び側マチ部の折り曲げによる当該段ボール製封筒の厚みの形成を阻害することなく、当該段ボール製封筒に隙間ができることを防止できる。
【００１５】
当該段ボール製封筒において、上記裏面パネル部が、上縁両端部に形成される切り欠きを有し、上記側貼着部が、上記切り欠きに対応する範囲内で上記上貼着部に重なる貼着重畳部位を有し、上記上隅封止部が、上記上隅重畳部位から上記貼着重畳部位に接続されるよう延設され、上記上マチ部に重なる上マチ重畳部位をさらに有するとよい。
【００１６】
このように、上隅封止部に側貼着部の上縁に接続され、上マチ部に重なる上マチ重畳部位を設けることにより、当該段ボール製封筒の上隅部に隙間が形成されることをより確実に防止できる。また、裏面パネル部に形成した切り欠きが上マチ重畳部位を接続するために必要な貼着重畳部位を受け入れることによって、重ねられる段ボールシートの枚数の増加を防止し、当該段ボール製封筒の美観の劣化及び封緘作業の作業性低下を防止することができる。
【００１７】
当該段ボール製封筒において、上記表面パネル部及び裏面パネル部が、下縁の両側端近傍から上縁の中央近傍にかけて斜めに延在する一対の折り曲げ容易線をそれぞれ有するとよい。
【００１８】
このように、表面パネル部及び裏面パネル部に斜めに延在する折り曲げ容易線を形成することにより、当該段ボール製封筒に品物を挿入する際に、その開口部をさらに大きく広げることができる。
【考案の効果】
【００１９】
上述のように、本考案の段ボール製封筒は、表面パネル部及び裏面パネル部に対して底マチ部、側マチ部及び上マチ部を折り曲げて容易に厚みを形成することができる。
【図面の簡単な説明】
【００２０】
【図１】本考案の一実施形態の段ボール製封筒の模式的展開図（段ボール製封筒用段ボールシートの模式的平面図）である。
【図２】図１の段ボール製封筒の模式的正面図である。
【図３】図１の段ボール製封筒の模式的背面図である。
【図４】図１の段ボール製封筒の開口を拡げた状態の模式的斜視図である。
【図５】図１の段ボール製封筒の図４とは異なる態様で開口を拡げた状態の模式的斜視図である。
【図６】図１の段ボール製封筒用段ボールシートの底隅封止部近傍の模式的拡大図である。
【図７】図１の段ボール製封筒の封緘状態の模式的斜視図である。
【図８】図１の段ボール製封筒用段ボールシートの上隅封止部近傍の模式的拡大図である。
【考案を実施するための形態】
【００２１】
以下、適宜図面を参照しつつ、本考案の実施の形態を詳説する。
【００２２】
［段ボール製封筒］
図１に、本考案の一実施形態に係る段ボール製封筒用の段ボールシート、つまり当該段ボール製封筒を展開した様子を示す。また、図２及び図３には、当該段ボール製封筒の正面（表面）及び背面（裏面）を示す。
【００２３】
なお、以下の説明において、「表」及び「裏」は、原則として、当該段ボール製封筒の完成状態における表面パネル部１側を「表」とし、その反対側、つまり裏面パネル部２側を「裏」とする。ただし、当該段ボール製封筒は、封緘状態において、段ボールシートの表面が全て外側に配置されるよう形成されるので、段ボールシートの「表」及び「裏」を意図する場合にはこれを明示して記載する。また、「上」及び「下」は、当該段ボール製封筒の完成状態における開口部側、つまり上貼着部７側を「上」とし、その反対側、つまり底マチ部３側を「下」とする。
【００２４】
当該段ボール製封筒は、図１に示す一枚の段ボールシートから形成される。この段ボールシートは、一方向に延在する山と谷とが一定のピッチで交互に複数連続するような波型に折り曲げられた紙製の中芯と、この中芯の少なくとも一方の面に貼り合される紙製のライナーとを有するものであり、好ましくは一対のライナーで中芯を挟み込んだ両面段ボールシートとされる。
【００２５】
当該段ボール製封筒を形成する段ボールシートの平均厚みとの下限としては、０．９ｍｍが好ましく、１．２ｍｍがより好ましい。一方、当該段ボール製封筒を形成する段ボールシートの平均厚みの上限としては、５ｍｍが好ましく、３ｍｍがより好ましい。当該段ボール製封筒を形成する段ボールシートの平均厚みが上記下限に満たない場合、収容する品物を十分に保護できないおそれある。逆に、当該段ボール製封筒を形成する段ボールシートの平均厚みが上記上限を超える場合、包装体の厚さが不必要に大きくなり、メール便料金等の配送コストが大きくなるおそれがある。当該段ボール製封筒を形成する段ボールシートとしては、当該段ボール製封筒の大きさに応じて厚みが異なるものを使用してもよい。
【００２６】
当該段ボール製封筒は、対向し合う方形状かつ略同形の表面パネル部１及び裏面パネル部２と、表面パネル部１の下縁と裏面パネル部２の下縁とを接続し、帯状で幅方向中央で折り返される底マチ部３と、表面パネル部１の両側縁から延設され、帯状で幅方向中央で折り返される一対の側マチ部４と、表面パネル部１の上縁から延設され、帯状で幅方向中央で折り返される上マチ部５と、一対の側マチ部４の延設方向の先端縁からさらに延設され、裏面パネル部２に貼着される一対の側貼着部６と、上マチ部５の延設方向の先端縁からさらに延設され、裏面パネル部２に貼着される上貼着部７と、底マチ部３の両側縁と一対の側マチ部４の下側の側縁とを接続する一対の底隅封止部８と、一対の側マチ部４の上側の側縁と上マチ部５の両側縁とを接続する一対の上隅封止部９とを備える。
【００２７】
これらの表面パネル部１、裏面パネル部２、底マチ部３、側マチ部４、上マチ部５、側貼着部６、上貼着部７、底隅封止部８及び上隅封止部９は、段ボールシートに形成される折り曲げ容易線によって区分される。この折り曲げ容易線としては、段ボールシートの裏面に型押しして形成される罫線が一般的であるが、例えば段ボールシートの裏面側のライナーのみを切断するハーフカット、段ボールシートを断続的に切断して形成されるミシン目状の切り込み等であってもよい。
【００２８】
＜表面パネル部＞
表面パネル部１は、側貼着部６の先端縁に対応する位置に沿って、平面視において側貼着部６の先端縁と重複するよう形成される一対の折り曲げ容易線１０を有する。この折り曲げ容易線１０としては、表面パネル部１の外縁を画定する折り曲げ容易線と同様のものとすることができる。この折り曲げ容易線１０は、当該段ボール製封筒に品物を挿入する際、図４に示すように、当該段ボール製封筒の開口を一時的に大きく広げるために使用される。
【００２９】
さらに、表面パネル部１は、下縁の両側端近傍、上縁の中央近傍にかけて斜めに延在する一対の折り曲げ容易線１１を有する。より詳しくは、折り曲げ容易線１１は、表面パネル部１の下縁と上記側貼着部６の先端縁に対応する折り曲げ容易線１０との交点からそれぞれ直線的に上マチ部５及び上貼着部７に延出して、上貼着部７の先端縁において互いに交差するよう形成されている。この折り曲げ容易線１１も、表面パネル部１の外縁を画定する折り曲げ容易線と同様のものとすることができる。この折り曲げ容易線１１は、当該段ボール製封筒に品物を挿入する際、図５に示すように、当該段ボール製封筒の開口の特に中央部を一時的に大きく広げるために使用される。
【００３０】
また、表面パネル部１は、下縁中央部に形成される上底が下底よりも長い台形状の破断開始部１２と、この破断開始部から上縁両側端部に向かってそれぞれ延在する２本の切断容易部１３とによって形成される開封容易部を有する。破断開始部１２は、上底が段ボールシートの裏面に形成される罫線によって画定され、下底及び両脚が段ボールシートに形成される切断率の高い断続的な切り込みによって形成される。切断容易部１３は、断続的に形成される複数の切り込みによって形成される。この切断容易部１３を形成する複数の切り込みは、それぞれ破断開始部１２側の端部が内側に屈曲している。
【００３１】
この表面パネル部１の大きさとしては、特に限定されないが、メール便に対応する大きさであって、かつ収容する品物の大きさを考慮した大きさが選択される。従って、予め表面パネル部１の大きさが異なる複数種類の当該段ボール製封筒を用意することが好ましい。表面パネル部１の大きさ例として、表面パネル部１の大きさは、Ａ４判よりも一回り（例えば各辺１ｃｍから５ｃｍ程度）大きいサイズ（いわゆるＡ４ファイルサイズ）、Ｂ５判よりも一回り大きいサイズ、Ａ５判よりも一回り大きいサイズ、米国レターサイズよりも一回り大きいサイズ等を適宜選択することができる。
【００３２】
＜裏面パネル部＞
裏面パネル部２は、外形形状が表面パネル部１と略等しい。裏面パネル部２の上下方向の高さは、表面パネル部１と同一、又は当該段ボール製封筒に品物を入れやすくために表面パネル部１よりも数ｍｍ程度小さく形成される。また、裏面パネル部２の左右方向の幅は、表面パネル部１と同一、又は図１の段ボールシートを折り返して当該段ボール製封筒を成形する際に側マチ部４側へはみ出すことを防止するために表面パネル部１よりも数ｍｍ程度小さく形成される。
【００３３】
裏面パネル部２は、側貼着部６の先端縁に対応する位置に沿って、平面視において側貼着部６の先端縁と重複するよう形成される一対の折り曲げ容易線１４を有する。この折り曲げ容易線１４は、表面パネル部１の折り曲げ容易線１０と同様に形成することができ、図１に示すように、底マチ部３を介して表面パネル部１の折り曲げ容易線１０と一体に接続して形成してもよい。この折り曲げ容易線１４も、表面パネル部１の折り曲げ容易線１０と同様に、図４に示すように、当該段ボール製封筒に品物を挿入するときに、当該段ボール製封筒の開口を一時的に大きく広げるために使用される。
【００３４】
さらに、裏面パネル部２は、下縁の両側端近傍、上縁の中央近傍にかけて側貼着部６と重畳しないよう斜めに延在する一対の折り曲げ容易線１５を有する。より詳しくは、折り曲げ容易線１５は、裏面パネル部２の下縁と上記側貼着部６の先端縁に対応する折り曲げ容易線１４との交点と上貼着部７の裏面パネル部２の上縁中央とを直線的に接続している。この折り曲げ容易線１５も、表面パネル部１の折り曲げ容易線１１と同様に、図５に示すように、当該段ボール製封筒に品物を挿入するときに、当該段ボール製封筒の開口の中央部を一時的に大きく広げるために使用される。また、この折り曲げ容易線１５は、側貼着部６と重畳しないことで折り曲げが阻害されない。
【００３５】
また、裏面パネル部２は、上縁両端部に形成される一対の切り欠き１６を有する。この切り欠き１６の形状としては、方形状が好ましい。
【００３６】
（切り欠き）
切り欠き１６の左右方向の平均幅の下限としては、５ｍｍが好ましく、８ｍｍがより好ましい。一方、切り欠き１６の平均幅の上限としては、２０ｍｍが好ましく、１５ｍｍがより好ましい。切り欠き１６の平均幅が上記下限に満たない場合、当該段ボール製封筒の上隅部の隙間を封止する効果、又は後述する側貼着部６と上貼着部７との段ボールシートの重なりを低減する効果が不十分となるおそれがある。一方、切り欠き１６の平均幅が上記上限を超える場合、当該段ボール製封筒の強度が不十分となるおそれがある。
【００３７】
切り欠き１６の上下方向の平均高さの下限としては、５ｍｍが好ましく、８ｍｍがより好ましい。一方、切り欠き１６の平均高さの上限としては、２０ｍｍが好ましく、１５ｍｍがより好ましい。切り欠き１６の平均高さが上記下限に満たない場合、当該段ボール製封筒の上隅部の隙間を封止する効果、又は後述する側貼着部６と上貼着部７との段ボールシートの重なりを低減する効果が不十分となるおそれがある。一方、切り欠き１６の平均高さが上記上限を超える場合、当該段ボール製封筒の強度が不十分となるおそれがある。
【００３８】
＜底マチ部＞
底マチ部３は、表面パネル部１と裏面パネル部２との間を接続するよう一定の幅を有する帯状に形成されている。この底マチ部３の両端は、表面パネル部１の両側縁の延長線により画定される。つまり、底マチ部３の両端は、表面パネル部１に対して側マチ部４を折り曲げる際に段ボールシートの一体性により必然的に折り曲げられる位置である。通常、底マチ部３の両端縁には、表面パネル部１と側マチ部４との境界を画定する折り曲げ容易線が延設される。
【００３９】
底マチ部３は、幅方向中央に折り曲げ容易線が形成され、この折り曲げ容易線に沿って折り返されることによって、表面パネル部１と裏面パネル部２とを対向させる。
【００４０】
底マチ部３の幅の下限としては、５ｍｍが好ましく、８ｍｍがより好ましい。一方、底マチ部３の幅の上限としては、８０ｍｍが好ましく、５０ｍｍがより好ましく、３０ｍｍがさらに好ましい。底マチ部３の幅が上記下限に満たない場合、当該段ボール製封筒に形成できる厚みが不十分となるおそれがある。逆に、底マチ部３の幅が上記上限を超える場合、相対的に表面パネル部１及び裏面パネル部２が小さくなり、当該段ボール製封筒に収容できる冊子等の平板状の商品の最大寸法が相対的に小さくなるおそれがある。
【００４１】
＜側マチ部＞
側マチ部４は、表面パネル部１の両側に、一定の幅を有する帯状に形成される。側マチ部４の幅は、底マチ部３の幅と同様とされる。特に、側マチ部４の幅は、底マチ部３と等しいことが好ましい。この側マチ部４の先端縁、つまり側貼着部６との境界は、表面パネル部１の境界を画定するのと同様の折り曲げ容易線によって画定される。また、側マチ部４の両端は、表面パネル部１の上縁及び下縁の延長線により画定される。通常、側マチ部４の両端には、表面パネル部１の上縁及び下縁を画定する折り曲げ容易線が延設される。また、側マチ部４は、幅方向中央に折り曲げ容易線が形成され、この折り曲げ容易線に沿って折り返されることによって、側貼着部６を裏面パネル部２に重ね合わせる。
【００４２】
＜上マチ部＞
上マチ部５は、表面パネル部１の上側に、一定の幅を有する帯状に形成される。上マチ部５の幅は、底マチ部３の幅と同様とされる。特に、上マチ部５の幅は、底マチ部３と等しいことが好ましい。この上マチ部５の先端縁、つまり上貼着部７との境界は、表面パネル部１の境界を画定するのと同様の折り曲げ容易線によって画定される。また、上マチ部５の両端は、表面パネル部１の両側縁の延長線により画定され、通常は、表面パネル部１の両側縁を画定する折り曲げ容易線が延設される。また、上マチ部５は、幅方向中央に折り曲げ容易線が形成され、ユーザがこの折り曲げ容易線に沿って折り返することによって、上貼着部７を裏面パネル部２に重ね合わせ、当該段ボール製封筒を封緘する。また、上マチ部５には、表面パネル部１の折り曲げ容易線１０が延設されていることが好ましい。
【００４３】
＜側貼着部＞
側貼着部６は、裏面パネル部２の側縁部の裏面に糊付けされる。当該段ボール製封筒は、この側貼着部６が貼着された状態でユーザに提供される。また、側貼着部６は、側マチ部４の先端縁上端から下側に所定の角度で延伸する上端縁からさらに上方に突出する貼着重畳部位１７を有する。この貼着重畳部位１７は、表面パネル部１の上縁を画定する折り曲げ容易線まで延伸し、後述する上隅封止部９に接続されている。
【００４４】
側貼着部６の上端縁は、後述する上貼着部７の側端縁と裏面パネル部２上でつき合わされるような角度に形成される。なお、図１の段ボール製封筒における側貼着部６の上端縁の側マチ部４の先端縁に対する傾斜角度は約４５°である。この上端縁から突出する貼着重畳部位１７は、上貼着部７を裏面パネル部２に貼着したときに、この上貼着部７が重なる部分である。一方、側貼着部６の下端縁は、側マチ部４の先端縁に対する角度が９０°以下であればよい。
【００４５】
貼着重畳部位１７の左右方向の幅は、裏面パネル部２の切り欠き１６の幅以下とされ、切り欠き１６の幅と略等しいことが好ましい。また、貼着重畳部位１７の上下方向の高さは、切り欠き１６の高さ以下とされ、切り欠き１６の高さと略等しい。これによって、貼着重畳部位１７は、切り欠き１６の範囲内で上貼着部７に重なる。
【００４６】
側貼着部６の平均幅（上下端縁を除く部分の幅の平均、つまり基端縁と先端縁との平均距離）の下限としては、１０ｍｍが好ましく、１５ｍｍが好ましい。一方、側貼着部６の平均幅の上限としては、５０ｍｍが好ましく、３０ｍｍが好ましい。側貼着部６の平均幅が上記下限に満たない場合、側貼着部６の裏面パネル部２への貼着が容易でなくなるおそれや、図４に示すように、折り曲げ容易線１０で表面パネル部１を折り曲げると共に折り曲げ容易線１４で裏面パネル部２を折り曲げたときに得られる当該段ボール製封筒の開口が不十分となるおそれがある。逆に、側貼着部６の平均幅が上記上限を超える場合、折り曲げ容易線１４で裏面パネル部２を折り曲げたときに開口幅が小さくなり、却って品物を挿入し難くなるおそれや、当該段ボール製封筒の紙使用量が不必要に増加してコストアップにつながるおそれがある。
【００４７】
＜上貼着部＞
上貼着部７は、当該段ボール製封筒の内部に品物を挿入した後、ユーザが上マチ部５を中央で折り返すことにより、裏面パネル部２の裏面に重ねられ、予め接着剤によって裏面パネル部２に貼着される。上貼着部７及び裏面パネル部２の貼着予定位置の少なくとも一方に、予め糊が塗布されていてもよい。上貼着部７及び裏面パネル部２の少なくとも一方に予め糊が塗布される場合、さらに離型シートで糊を覆ってもよい。
【００４８】
上貼着部７には、表面パネル部１の折り曲げ容易線１０が上マチ部５を超えて延設されていることが好ましい。
【００４９】
上貼着部７の両側縁は、上述の側貼着部６の上端縁に対応する角度で傾斜している。具体的には、上貼着部７の側縁の上マチ部５の先端縁に対する傾斜角度と、側貼着部６の上端縁の側マチ部４の先端縁に対する傾斜角度との合計が、９０°となればよい。なお、側貼着部６の上端縁及び上貼着部７の側縁の裏面パネル部２に切り欠き１６より内側に配置される部分については、側貼着部６と上貼着部７との間に隙間を形成しても問題ないため、上記傾斜角度の合計が９０°未満であってもよい。
【００５０】
上貼着部７の平均幅の下限としては、１０ｍｍが好ましく、１５ｍｍが好ましい。一方、上貼着部７の平均幅の上限としては、５０ｍｍが好ましく、３０ｍｍが好ましい。上貼着部７の平均幅が上記下限に満たない場合、上貼着部７の裏面パネル部２への貼着が容易でなくなるおそれがある。逆に、上貼着部７の平均幅が上記上限を超える場合、使用前の当該段ボール製封筒の面積が大きくなり、輸送コスト及び保管コストの増加につながるおそれや、当該段ボール製封筒の紙使用量が不必要に増加してコストアップにつながるおそれがある。
【００５１】
＜底隅封止部＞
底隅封止部８は、図６に詳しく示すように、底マチ部３の側縁及び側マチ部４の下側の側縁を隣辺（等辺）とする直角二等辺三角形状であり、底マチ部３及び側マチ部４と共に部分的に折り返されて両鋭角（内角が９０°よりも小さい２つの底角）が直角（内角が９０°の頂角）に重ねられる底隅主封止部位１８と、この底隅主封止部位１８の斜辺の底マチ部３側部分から延設され、少なくとも底隅主封止部位１８の側マチ部４側の鋭角近傍部分に重なる底隅重畳部位１９と、この底隅重畳部位１９から裏面パネル部２の側縁下端部に接続されるよう延設され、側マチ部４に重なる側マチ重畳部位２０とを有する。
【００５２】
なお、図６では、表面パネル部１、裏面パネル部２、底マチ部３、側マチ部４、側貼着部６及び底隅封止部８の境界を実線で示し、折り曲げ容易線を破線で示している。また、底隅主封止部位１８と底隅重畳部位１９との間には、折り曲げ容易線等の物理的境界は形成されないことが好ましい。このため、図６では、底隅主封止部位１８と底隅重畳部位１９との境界を二点鎖線で示している。
【００５３】
（底隅主封止部位）
底隅主封止部位１８には、底マチ部３の中央の折り曲げ容易線及び側マチ部４の中央の折り曲げ容易線が延設されている。これらの折り曲げ容易線は、底隅主封止部位１８の斜辺の中央で交差している。底隅主封止部位１８は、この折り曲げ容易線に沿って折り返されることにより、両鋭角が直角に重ねられると共に、斜辺の底マチ部３側の半分と側マチ部４側の半分とが付き合されることにより、正方形の袋状に形成される。
【００５４】
また、底隅主封止部位１８には、直角から斜辺の中央まで伸びるさらなる折り曲げ容易線が形成されている。これにより、底マチ部３及び側マチ部４を表面パネル部１及び裏面パネル部２に対して折り曲げて当該段ボール製封筒に厚みを形成する際、図７に図示するように、底隅封止部８がコーン状に突出して段ボールシートの歪を吸収することが容易となる。
【００５５】
（底隅重畳部位）
底隅重畳部位１９は、底隅主封止部位１８の斜辺の底マチ部３側の半分を斜辺とする直角二等辺三角形状に形成されている。従って、この底隅重畳部位１９の一方の等辺は、裏面パネル部２と底マチ部３とを区分する折り曲げ容易線の延長線として画定される。
【００５６】
この底隅重畳部位１９は、底隅主封止部位１８が底マチ部３の中央の折り曲げ容易線に沿って折り返されたときに、底隅主封止部位１８の上に重ねられる。さらに、底隅主封止部位１８が側マチ部４の中央の折り曲げ容易線に沿って折り返されたときに、この折り返される部分と重なる。これにより、底隅封止部８が形成する正方形の袋状部分の合わせ目を段ボールシートが二重に重ねられるラップ構造とし、この袋状部分に隙間が形成されることが防止される。
【００５７】
（側マチ重畳部位）
側マチ重畳部位２０は、裏面パネル部２と底マチ部３とを区分する折り曲げ容易線の延長線として画定される上記底隅重畳部位１９の等辺から、裏面パネル部２の側縁の下端部に接続されるよう延設されている。この側マチ重畳部位２０は、底隅主封止部位１８が底マチ部３の中央の折り曲げ容易線に沿って折り返されたときに、側マチ部４の下端部の表面パネル部１側部分に重ねられる。さらに、側マチ部４が中央の折り曲げ容易線に沿って折り返されたときに、側マチ重畳部位２０の裏面側には、側マチ部４の下端部の側貼着部６側の部分が重ねられる。これにより、底隅封止部８が形成する正方形の袋状部分の隙間の防止をより確実にする。
【００５８】
側マチ重畳部位２０の形状としては、例えば扇形状、方形状、三角形状とすることができる。また、側マチ重畳部位２０の上下方向の長さとしては、例えば底マチ部３の幅の約１／２とすることができる。
【００５９】
＜上隅封止部＞
上隅封止部９は、図８に詳しく示すように、側マチ部４の上縁及び上マチ部５の側縁を隣辺（等辺）とする直角二等辺三角形状であり、側マチ部４及び上マチ部５と共に折り返されて両鋭角（内角が９０°よりも小さい２つの底角）が直角（内角が９０°の頂角）に重ねられる上隅主封止部位２１と、この上隅主封止部位２１の斜辺の側マチ部４側部分から延設され、少なくとも上隅主封止部位２１の上マチ部５側の鋭角近傍部分に重なる上隅重畳部位２２と、この上隅重畳部位２２から側貼着部６の貼着重畳部位１７の上縁に接続されるよう延設され、上マチ部５に重なる上マチ重畳部位２３とを有する。
【００６０】
なお、図８では、図６と同様に、表面パネル部１、側マチ部４、上マチ部５、側貼着部６、上貼着部７及び上隅封止部９の境界を実線で示し、折り曲げ容易線を破線で示し、物理的境界が形成されない上隅主封止部位２１と上隅重畳部位２２との境界を二点鎖線で示している。
【００６１】
この上隅封止部９の上隅主封止部位２１、上隅重畳部位２２及び上マチ重畳部位２３は、位置及び向きが異なるだけで、図６の底隅主封止部位１８、底隅重畳部位１９及び側マチ重畳部位２０と略同一の形状及び機能を有する。このため、詳細な説明は省略するが、上隅封止部９は、底隅封止部８と同様に、当該段ボール製封筒の上側の隅を隙間なく封止することができる。
【００６２】
＜利点＞
【００６３】
当該段ボール製封筒は、側マチ部４及び上マチ部５よりも内側に配置される裏面パネル部２に側貼着部６及び上貼着部７を貼り合わせることによって袋状に形成されるので、当該段ボール製封筒の内部に厚みを形成する底マチ部３、側マチ部４及び上マチ部５において、表裏のいずれでも複数の段ボールシートが重ねられない。このため、当該段ボール製封筒は、底マチ部３、側マチ部４及び上マチ部５を表面パネル部１及び裏面パネル部２に対して折り曲げて厚みを形成することが比較的容易である。当該段ボール製封筒は、厚みのある品物であっても比較的容易に挿入することができる。
【００６４】
また、当該段ボール製封筒は、段ボールシートを折り曲げて裏面パネル部２の裏面に一対の側貼着部６を貼着するだけであり、構造が比較的簡単であるため、比較的安価に提供することができる。このため、ユーザは、メール便による品物の発送等のコストを削減できる。
【００６５】
また、当該段ボール製封筒において、底隅封止部８及び上隅封止部９は、糊を使用せずに当該段ボール製封筒の隅を隙間ができないように封止できるので、底マチ部３、側マチ部４及び上マチ部５を表面パネル部１及び裏面パネル部２に対して折り曲げて厚みを形成することを阻害しない。
【００６６】
また、当該段ボール製封筒は、裏面パネル部２に形成した切り欠き１６が上マチ重畳部位２３を接続するために必要な貼着重畳部位１７を受け入れることによって、上貼着部７に重ねられる段ボールシートの枚数の増加を防止し、当該段ボール製封筒の美観の劣化及び封緘作業の作業性低下を防止することができる。
【００６７】
また、当該段ボール製封筒では、表面パネル部１及び裏面パネル部２が、その下縁の両側端近傍から上縁の中央近傍にかけて斜めに延在する一対の折り曲げ容易線１１，１５を有するため、当該段ボール製封筒に品物を挿入する際に、その開口部をより大きく広げることができる。
【００６８】
また、当該段ボール製封筒は、表面パネル部１に折り曲げ容易線１０が形成され、裏面パネル部２に折り曲げ容易線１４が形成されることにより、当該段ボール製封筒に品物を挿入する際に、表面パネル部１及び裏面パネル部２を折り曲げることによって、当該段ボール製封筒の開口部をさらに大きく広げることができる。
【００６９】
特に、当該段ボール製封筒では、この折り曲げ容易線１０，１４が側貼着部６の先端縁に沿って形成されているため、側貼着部６が表面パネル部１及び裏面パネル部２を折り曲げるときにガイドとして機能し、さらに容易に当該段ボール製封筒の開口部を拡げることができる。
【００７０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００７１】
当該段ボール製封筒において、底隅封止部は、直角三角形状の底隅主封止部位を有していればよく、底隅重畳部位及び側マチ重畳部位を省略してもよく、側マチ重畳部位のみを省略してもよい。また、特に、側マチ重畳部位を省略する場合、底隅重畳部位の形状は任意に変更できる。
【００７２】
同様に、当該段ボール製封筒において、上隅封止部から、上隅重畳部位及び上マチ重畳部位を省略してもよく、上マチ重畳部位のみを省略してもよい。上隅重畳部位の形状も任意に変更できる。
【００７３】
当該段ボール製封筒は、表面パネル部及び裏面パネル部に開口を拡げるための折り曲げ容易線が形成されていなくてもよい。また、開口を拡げるための折り曲げ容易線の形成位置は、側貼着部の先端縁と異なる位置であってもよい。また、傾斜して延在する開口を拡げるための折り曲げ容易線の始端位置は、表面パネル部及び裏面パネル部の下縁の両端近傍であればよく、側貼着部の先端縁に対応する位置でなくてもよい。さらに、傾斜して延在する開口を拡げるための折り曲げ容易線の終端位置についても、表面パネル部及び裏面パネル部の上縁の中央近傍であればよく、左右の折り曲げ容易線の終端位置が同じでなく、互いに交差せず離間して形成されてもよい。
【００７４】
当該段ボール製封筒において、破断開始部及び切断容易部は任意の構成であり、省略してもよく、上述の実施形態とは異なる開封のための構成を設けてもよい。
【産業上の利用可能性】
【００７５】
本考案の段ボール製封筒は、緩衝機能を有する封筒として広く使用できるが、特にメール便用の封筒として好適に利用できる。
【符号の説明】
【００７６】
１  表面パネル部
２  裏面パネル部
３  底マチ部
４  側マチ部
５  上マチ部
６  側貼着部
７  上貼着部
８  底隅封止部
９  上隅封止部
１０，１１，１４，１５  折り曲げ容易線
１２  破断開始部
１３  切断容易部
１６  切り欠き
１７  貼着重畳部位
１８  底隅主封止部位
１９  底隅重畳部位
２０  側マチ重畳部位
２１  上隅主封止部位
２２  上隅重畳部位
２３  上マチ重畳部位
【図１】
0003195833.tif 000003
【図２】
0003195833.tif 000004
【図３】
0003195833.tif 000005
【図４】
0003195833.tif 000006
【図５】
0003195833.tif 000007
【図６】
0003195833.tif 000008
【図７】
0003195833.tif 000009
【図８】
0003195833.tif 000010